(57)【特許請求の範囲】
【請求項１】
移動局が第1のキャリア、第2のキャリア、及び、異なるキャリアを含む複数のキャリアのリソース割り当てを示す上位レイヤのシグナグリングを受信するステップと、
前記移動局が前記第1のキャリアにおける制御情報であって、前記移動局についての情報が前記第2のキャリア上にあることを示す制御情報を受信するステップと、
前記移動局が前記第2のキャリアにおける情報を前記制御情報に基づいてデコードするステップと、
前記移動局が通信を前記第1のキャリア及び前記第2のキャリアの両方を用いて基地局と行うステップと
を有する、無線通信方法。
【請求項２】
前記通信は、前記移動局が前記基地局からデータを前記第1のキャリア及び前記第2のキャリアの両方を用いて受信することを含む、請求項1記載の無線通信方法。
【請求項３】
前記移動局が前記基地局と通信し、前記移動局のための前記複数のキャリアのキャリアアグリゲーションを確立するステップをさらに含む、請求項1記載の無線通信方法。
【請求項４】
前記制御情報は、前記第2のキャリアの識別子を示す、請求項1記載の無線通信方法。
【請求項５】
前記第1のキャリア及び第2のキャリアは、連続性を有していない、請求項1記載の無線通信方法。
【請求項６】
前記第2のキャリアにおける前記情報は、データのリソース割り当てを識別する制御情報を含む、請求項1記載の無線通信方法。
【請求項７】
前記識別情報は前記第1のキャリアの物理ダウンリンク共有チャネル（PDSCH）において識別される、請求項1記載の無線通信方法。
【請求項８】
前記移動局が、前記制御情報が前記第1のキャリア上にあることを示すダウンリンク制御構造を受信するステップをさらに有する無線通信方法であって、前記制御情報の受信は、前記ダウンリンク制御構造に基づく、請求項1記載の無線通信方法。
【請求項９】
前記制御情報は、前記第２のキャリアにおける情報の場所及びサイズを示す、請求項1記載の無線通信方法。
【請求項１０】
移動局であって、
無線通信を少なくとも一つの基地局と行うよう構成されている無線通信回路と、
前記無線通信回路に接続されている処理ハードウエアと、
を備え、
前記処理ハードウエアは、前記無線通信回路とともに動作して、
第1のキャリア、第2のキャリア、及び、異なるキャリアを含む複数のキャリアのリソース割り当てを示す上位レイヤのシグナグリングを受信し、
前記第1のキャリアにおける制御情報であって、前記移動局についての情報が前記第2のキャリア上にあることを示す制御情報を受信し、
前記第2のキャリアにおける情報を前記制御情報に基づいてデコードし、
通信を前記第1のキャリア及び前記第2のキャリアの両方を用いて基地局と行うよう構成されている、移動局。
【請求項１１】
前記通信は、前記移動局が前記基地局からデータを前記第1のキャリア及び前記第2のキャリアの両方を用いて受信することを含む、請求項10記載の無線通信方法。
【請求項１２】
前記処理ハードウエアは、前記無線通信回路とともに動作して、さらに、前記基地局と通信し、前記移動局のための前記複数のキャリアのキャリアアグリゲーションを確立するよう構成されている、請求項10記載の移動局。
【請求項１３】
前記制御情報は、前記第2のキャリアの識別子を示す、請求項10記載の移動局。
【請求項１４】
前記第1のキャリア及び第2のキャリアは、連続性を有していない、請求項10記載の移動局。
【請求項１５】
前記第2のキャリアにおける前記情報は、データのリソース割り当てを識別する制御情報を含む、請求項10記載の移動局。
【請求項１６】
前記処理ハードウエアは、前記無線通信回路とともに動作して、さらに、
前記制御情報が前記第1のキャリア上にあることを示すダウンリンク制御構造を受信するよう構成されており、記制御情報の受信は、前記ダウンリンク制御構造に基づく、請求項10記載の移動局。
【請求項１７】
移動局のプロセッサが実行可能プログラム命令を記録した非一時的なコンピュータアクセス可能なメモリ媒体であって、前記プログラム命令は、前記プロセッサに、
第1のキャリア、第2のキャリア、及び、異なるキャリアを含む複数のキャリアのリソース割り当てを示す上位レイヤのシグナグリングを受信し、
前記第1のキャリアにおける制御情報であって、前記移動局についての情報が前記第2のキャリア上にあることを示す制御情報を受信し、
前記第2のキャリアにおける情報を前記制御情報に基づいてデコードし、
通信を前記第1のキャリア及び前記第2のキャリアの両方を用いて基地局と行うよう動作させる、非一時的なコンピュータアクセス可能なメモリ媒体。
【請求項１８】
前記通信は、前記移動局が前記基地局からデータを前記第1のキャリア及び前記第2のキャリアの両方を用いて受信することを含む、請求項17記載の非一時的なコンピュータアクセス可能なメモリ媒体。
【請求項１９】
前記プログラム命令は、前記プロセッサに、さらに、前記基地局と通信し、前記移動局のための前記複数のキャリアのキャリアアグリゲーションを確立するよう動作させる、請求項17記載の非一時的なコンピュータアクセス可能なメモリ媒体。
【請求項２０】
前記制御情報は、前記第2のキャリアの識別子を示す、請求項17記載の非一時的なコンピュータアクセス可能なメモリ媒体。
【発明の詳細な説明】
【技術分野】
【０００１】
開示される発明は無線通信方法、移動局及び基地局に関連する。  
【背景技術】
【０００２】
移動局が他の移動局と又は有線ネットワークに結合された有線端末と通信できるようにする様々な無線アクセス技術が提案又は実現されている。そのような無線アクセス技術の具体例は、第3世代パートナーシッププロジェクト（3GPP）により規定されている（移動通信のためのグローバルシステム）GSM及びユニバーサル移動通信システム（UMTS）や、3GPP2により規定されている符号分割多重アクセス2000（CDMA2000）等を含む。
【０００３】
スペクトル利用効率の改善、サービスの向上、低コスト化等を目指す無線アクセス技術の継続的な進展の一部として、新たな標準仕様が提案されている。そのような新たな標準仕様の1つは3GPPによるロングタームエボリューション（LTE）標準仕様であり、これはUMTS技術の機能を強化することを意図している。LTE標準仕様は、エボルブドユニバーサル地上無線アクセス（EUTRA）標準仕様とも言及される。
【０００４】
LTEによる新しい特徴は、複数のコンポーネントキャリア（component  carrier：CC）を利用して無線通信に利用可能な帯域幅を増やすことを提案している。各コンポーネントキャリアは高々20メガヘルツ（MHz）の周波数帯域を有することが可能である。複数のコンポーネントキャリアは、ユーザ装置にとって利用可能な帯域幅全体を増やすために一緒に統合される（キャリアアグリゲーション）。コンポーネントキャリアの各々は移動局にとってLTEキャリアとして見える。
【０００５】
複数のコンポーネントキャリアを利用することに付随する課題は、複数のコンポーネントキャリアにおけるPDCCH（物理下りリンク制御チャネル）についてブラインド検出を実行し、移動局にとって適切な制御情報を発見しなければならないことである。そのようなブラインド検出（blind  decoding）は移動局にとって電力を無駄に消費してしまうことになる。
【先行技術文献】
【非特許文献】
【０００６】
【非特許文献１】本願優先日前に公知の3GPP標準仕様
【発明の概要】
【発明が解決しようとする課題】
【０００７】
本発明の課題は、ことである。
【課題を解決するための手段】
【０００８】
一実施例による無線通信方法は、
移動局が第1のキャリアでダウンリンク制御構造情報を受信するステップであって、前記ダウンリンク制御構造情報は、前記移動局の制御情報が別の第2のキャリアにあることを示す、ステップと、
前記移動局が前記第2のキャリアにおける前記制御情報をデコードするステップと
を有し、前記制御情報は前記移動局の無線リンクにおけるリソースの割り当て方を指定している、無線通信方法である。
【図面の簡単な説明】
【０００９】
【図１】本発明の実施例を使用する通信ネットワークの一例を示すブロック図。
【図２】従来の物理下りリンク制御チャネル（PDCCH）と一実施例による拡張されたPDCCH（E−PDCCH）とを使用するフレーム構造例を示す図。
【図３】あるキャリアのPDCCHが複数のサブキャリアにおける複数のE−PDCCHを指定する一実施例による例を示す図。
【図４】あるキャリアのPDCCHが別のキャリアの1つのE−PDCCHを指定する一実施例による別の例を示す図。
【図５】あるキャリアのキャリアポインタメッセージが複数のキャリアにおける制御情報を示す別の実施例による例を示す図。
【図６】移動局が制御情報を取得する一実施例による方法を示すフローチャート。
【発明を実施するための形態】
【００１０】
概して、一実施例による無線通信方法は、移動局が第1のキャリアでダウンリンク制御構造を受信するステップを含み、そのダウンリンク制御構造は、移動局のための制御情報は別の第2のキャリアにあることを示す。移動局は第2のキャリアで制御情報をデコード（復号）し、その制御情報はその移動局のための無線リンクのリソース割り当てを示す。
【００１１】
別の又は代替的な特徴は以下の説明、添付図面及び特許請求の範囲の記載からさらに明らかになるであろう。
【実施例１】
【００１２】
以下、本発明の実施例を添付図面を参照しながら説明する。
【００１３】
好適実施例による技法及び手段によれば、ダウンリンク制御構造が第1のキャリアで与えられ、そのダウンリンク制御構造は、移動局のための制御情報が別の第2のキャリアにあることを示す。ダウンリンク制御構造は、第2のキャリアにおける制御情報の位置を指定することができ、ダウンリンク制御構造は第2のキャリアにおける制御情報のサイズも指定することができる。
【００１４】
第1及び第2のキャリアを含む複数の様々なキャリアは、個々のキャリアの何れかが提供する帯域幅より広い無線通信用の全体的な帯域幅を提供する。移動局は第2のキャリアの制御情報をデコードし、その制御情報は、その移動局のための無線リンクにおけるリソースの割り当て方（及び制御関連情報）を指定する。
【００１５】
一実施例では、使用される無線通信技術は3GPP（第3世代パートナーシッププロジェクト）によるロングタームエボリューション（LTE）又はエボルブドユニバーサル地上無線アクセス（EUTRA）標準仕様にしたがうものであり、ユニバーサル移動通信システム（UMTS）無線技術を改良したものである。本願においてLTE（又はEUTRA）無線通信ネットワークは、3GPPにより規定された現在存在する又は将来進展するLTE（又はEUTRA）標準仕様の条件にしたがうものである。LTE（又はEUTRA）は、現在のLTE（又はEUTRA）標準仕様に関連するものでもよいし、あるいは将来改訂されるLTE（又はEUTRA）標準仕様の改訂版に関連するものでもよい。将来、LTE（又はEUTRA）から進展した標準仕様が別の名称で言及されるかもしれないことが予想される。本願において使用される「LTE」又は「EUTRA」という用語は、そのような将来的な標準仕様をも含むように意図されている。代替例において、別の標準仕様にしたがう無線通信技術が使用されてもよい。
【００１６】
LTEの場合、制御情報を示す第1のキャリアのダウンリンク制御構造は、従来のPDCCH（物理下りリンク制御チャネル）の領域の一部にある。従来のPDCCH（レガシーPDCCH）の領域は、PDCCHの送信に使用されるLTEリリース8のサブフレームにおける先頭の数個のOFDM（直交周波数分割多重方式）シンボルである。一実施例において、ダウンリンク制御構造を含む従来のPDCCHの領域の部分は、所定のコンパクトDCI（ダウンリンク制御情報）フォーマットを有する。第2のキャリアにおける制御情報は、拡張されたPDCCH（E−PDCCH）の形式におけるものである。移動局はE−PDCCHをデコードし、その移動局のリソース割り当ての情報（及び他の制御情報）を取得する。
【００１７】
従来のPDCCH領域におけるダウンリンク制御構造は、プライマリPDCCHとも言及され、プライマリPDCCHは、所与の移動局が制御情報を取得するために監視するアンカーキャリア（anchor  carrier）により搬送される。プライマリPDCCHを検出することに基づいて、移動局はE−PDCCHを含む別のキャリアを簡易に特定することができ、その後に移動局は別の制御情報をデコードすることができる。別の制御情報は、リソースの割り当て方の情報、変調及び符号化方式（MCS）の情報（トラフィックデータに適用する変調方式及び符号化方式の情報）、HARQ（ハイブリッド自動再送要求）プロセスに関する情報（誤り検出及び訂正のために誤り訂正情報をメッセージに付加することを示す情報）、冗長バージョン（RV）に関する情報（どの再送形式が使用されるかを示すインクリメンタル冗長情報とともに使用されるHARQパラメータ）、電力制御情報及び／又は他の制御情報等を含むがこれらに限定されない。従来のPDCCHは、従来の移動局をサポートするために（従来の移動局が動作できるように）他のキャリアで搬送されてもよい。
【００１８】
図1は本発明の一実施例が使用される無線ネットワークの一例を示す。無線ネットワークは基地局100を含み、基地局は無線信号をセルセクタ108に送信するためのアンテナアレイ又は他のアンテナ構造102を含む。セルセクタはセルラネットワークにおけるセルの1つのセクションである。代替例において、要素108はセル全体を表現してもよい。より具体的には、「セルセグメント」はセル又はセルセクタを示す。
【００１９】
図1には1つの基地局しか描かれていないが、通常、無線ネットワークは複数の基地局を含むことに留意を要する。一実施例において無線ネットワークはLTE無線ネットワークである。
【００２０】
LTE無線ネットワークの場合、基地局100はエンハンストノードB（eNodeB、eNB）であり、アンテナアレイ102を含むベーストランシーバ局を含む。基地局100は、エンハンストノードBを制御する無線ネットワークコントローラを含んでもよい。無線ネットワークコントローラ及び／又はエンハンストノードBは、以下のタスクのうちの1つ以上を実行することができる：無線リソースの管理、移動局の移動を管理するための移動管理、トラフィックのルーティング等。1つの無線ネットワークコントローラが複数のeNodeBにアクセスしてもよいし、あるいはeNodeBが1つ以上の無線アクセスコントローラからアクセスされてもよいことに、留意を要する。
【００２１】
より一般的には、「基地局」という用語は、セルラネットワークの基地局、任意のタイプの無線ネットワークで使用されるアクセスポイント、又は移動局と通信する任意のタイプの無線送信機等に関連する。
【００２２】
図1を参照するに、基地局100は、ストレージ又は記憶部124に接続された1つ以上の中央処理装置（CPU）122を含む。さらに、基地局100は、CPU122において動作可能なソフトウェア126を含み、基地局100のタスクを実行する。
【００２３】
図1に示す移動局110も、ストレージ又は記憶部132に接続された1つ以上のCPU130を含む。さらに、移動局110はCPU132において動作可能なソフトウェア134を含み、移動局110のタスクを実行する。さらに、移動局110は基地局100と無線通信するためのインタフェース131を含む。
【００２４】
基地局100はサービング及び／又はパケットデータネットワーク（PDN）ゲートウェイ122に接続され、ゲートウェイ122は、エンハンストノードBに向かうユーザプレーンインタフェースを終端し、インターネット又は他のタイプのネットワークであるようなパケットデータネットワークである外部ネットワーク114に対するパケットルーティング及び転送を担う。
【００２５】
図1に示す形態は説明の目的のために示されている。他の実施形態では他の無線ネットワーク形態が使用されてもよい。
【００２６】
上述したように、キャリアアグリゲーションを行って広い帯域幅を提供するLTE標準仕様の改訂版が提案されている。一般に、LTEのコンポーネントキャリア（又は単に「キャリア」と言及する）は、高々20メガヘルツ（MHz）の帯域幅をサポートしている（そのような帯域幅が利用可能である）。しかしながら、複数のキャリアを統合（キャリアアグリゲーション）することで、基地局は、より広い帯域幅を移動局との無線通信に提供できる。統合されたキャリアは連続的なキャリアでもよいし、あるいは連続性を備えずに統合されたキャリアでもよい。
【００２７】
LTEアドバンスト方式の移動局は、キャリアアグリゲーションにより統合されたキャリアを使用して、基地局と無線通信することができる点に、留意を要する。従来の移動局は1つのキャリアを用いて通信できるのみである。
【００２８】
図2は特定のLTEキャリアのフレーム構造200を示す。フレーム構造200の水平方向の軸は時間（タイムスロット）を表し、フレーム構造200の垂直方向の軸は周波数（サブキャリア又は様々な周波数）を表す。フレーム構造200は第1の領域202を含み、第1の領域は従来の（プライマリ）PDCCHを含む様々な制御情報を含む。従来のPDCCHに加えて、領域202は1つ以上のプライマリPDCCHを含んでもよい。プライマリPDCCHは1つ以上の移動局又は移動局のグループ（移動局群）に制御情報を与える。さらに、図2に示す例の場合、領域202は、物理制御フォーマットインジケータチャネル（PCFICH）及び物理ハイブリッド自動再送要求インジケータチャネル（PHICH）も含んでいる。他の形態において、領域202は他のタイプの制御チャネルを含んでもよい。
【００２９】
一実施例において、フレーム構造200は、追加的な制御情報を含むE−PDCCHを含む別の領域204を有する。領域204は1つ以上のE−PDCCHを含んでもよい。E−PDCCHは、1つの移動局又は移動局のグループに追加的な制御情報を与えるためのものである。別のキャリアのプライマリPDCCHが、フレーム構造200の領域204におけるE−PDCCHの場所（ロケーション）及びサイズを指定することができる。同様に、フレーム構造200の領域202におけるプライマリPDCCHは、別のキャリアのE−PDCCHの場所及びサイズを指定することもできる。
【００３０】
プライマリPDCCHは、別のキャリアにおけるE−PDCCHの場所及びサイズを移動局に通知するので、移動局はブラインド検出せずにE−PDCCHをデコードすることができる。プライマリPDCCHは、同じキャリアにおけるE−PDCCHを指定するために使用されてもよい。
【００３１】
図3及び図4はプライマリPDCCH及びE−PDCCHを使用する2つの代替的な例を示す。図3の例の場合、第1のキャリアにおける特定のプライマリPDCCH（フレーム構造200BのプライマリPDCCH302）は、フレーム構造200A、200B、200C各々のE−PDCCHの領域304A、304B、304Cにおける複数のE−PDCCH306A、306B、306Cを示すことができ、各フレーム構造は対応するキャリアにより搬送される。同様に、プライマリPDCCH302は、E−PDCCH306Aの場所及びサイズを指定することができ、E−PDCCH306Bの場所及びサイズを指定することができ、E−PDCCH306Cの場所及びサイズを指定することができる。E−PDCCH306A、306B、306Cの各々は、キャリア番号、場所情報（ロケーション情報）及びサイズ情報により指定される。
【００３２】
一実施例において、プライマリPDCCHは以下のフォーマットを有することができる：
｛キャリア＃1，E−PDCCH領域におけるE−PDCCHの場所及びサイズ；
キャリア＃2，E−PDCCH領域におけるE−PDCCHの場所及びサイズ；
・・・
キャリア＃M，E−PDCCH領域におけるE−PDCCHの場所及びサイズ｝
ここで、Mはシステムにより使用可能な（サポートされる）キャリア数、又は基地局によりサポート／使用されるキャリア数である。このオプションの場合、コンポーネントキャリア毎に個別のE−PDCCHが提供され、E−PDCCHの各々が対応する各自のキャリアにおけるリソースの割り当て方を指定するようにする。
【００３３】
図4は別のオプション（選択肢）を示し、あるキャリア（フレーム構造200Bを搬送するキャリア）におけるプライマリPDCCH302が、別の（又は同一の）キャリアにおける1つのE−PDCCH306Cのみを指定している。この例におけるプライマリPDCCHのフォーマットは次のとおりである：
｛キャリアID，E−PDCCH領域におけるE−PDCCHの場所及びサイズ｝。
【００３４】
この例の場合、プライマリPDCCHはまさにその1つのキャリアにおけるE−PDCCHに移動局を導く。このキャリアにおけるE−PDCCHは、全てのキャリアに関するリソース割当法を示す（すなわち、全てのキャリアに対する1つの統合されたE−PDCCHである）。
【００３５】
移動局の電力消費を節約するため、典型的には、移動局はアンカーキャリアを監視する。移動局がアンカーキャリアのプライマリPDCCHを検出すると、移動局はアンカーキャリアでないキャリアにおいてトランシーバをオンにし、複数のキャリアにおけるE−PDCCHをさらに検出する。移動局がトランシーバをオンに切り替える遷移時間に配慮するため、E−PDCCHは、プライマリPDCCHを含むサブフレームよりも数サブフレーム後のサブフレームに設けられてもよい。
【００３６】
E−PDCCH領域におけるリソース割当法（場所及びサイズ）を移動局が把握できるようにするために、いくつかのオプション（選択肢）のうちの何れかを使用可能である。第1のオプションの場合、E−PDCCHのためのリソースブロック（RB）の開始位置及びRBの数月うちされる。分散された仮想RB（distributed  virtual  RB：DVRB）が使用される場合、割り当てられるRBは連続的ではないので、ギャップの値（周波数間隔）が指定されてもよい。
【００３７】
第2のオプションの場合、E−PDCCH領域におけるRB数が指定される；ただし、RBの開始位置は明示的には指定されてない。移動局は所定の周波数ホッピングパターンを用いてE−PDCCH領域のRBの開始位置を見い出し、所定の周波数ホッピングパターンはセル識別子及びフレームインデックスの関数とするとができる。LTEサブフレームは、所定の時間期間を有するLTEフレームの一部分であり、所定の時間期間は所定数個のタイムスロットに分割される。LTEフレームは複数のサブフレームにより形成され、LTEサブフレームはLTEフレームにおける所定数個（例えば、2個）のタイムスロットを含む。サブフレームインデックスはフレーム全体の中の特定のサブフレームを指定する。
【００３８】
（図1）の基地局がE−PDCCH領域のリソースの割り当て方を移動局に通知する場合、いくつかのオプション（選択肢）がある。第1のオプションの場合、コンポーネントキャリア各々におけるE−PDCCH領域のリソースの割り当て方を通知する所定のDCIフォーマットが規定される。所定のDCIフォーマットは従来のPDCCH領域内に設けられる。また、所定のDCIフォーマットのCRC（巡回冗長検査）が所定のRNTI（無線ネットワークテンポラリ識別子）を用いてスクランブルされ、アドバンストマルチキャリア処理能力を備えたLTEアドバンスト移動局のみが所定のDCIフォーマットをデコードできるようにしてもよい。場合によっては、この所定のRNTIはLTE−A−RNTIと呼ばれる。あるいは、他のスクランブリング法又は符号化法が所定のDCIフォーマットに適用され、マルチキャリア処理能力を備えたLTEアドバンスト移動局のみが所定のDCIフォーマットをデコードできるようにしてもよい。マルチキャリア処理能力を備えていない（サポートしていない）従来のLTE移動局は、この所定のDCIフォーマットをデコードできないことに留意を要する。
【００３９】
別のオプションの場合、基地局100は、RRC（無線リソース制御）シグナリング、SIB（システム情報ブロック）シグナリング等のような上位レイヤのシグナリングを用いて、コンポーネントキャリア各々におけるE−PDCCH領域のリソースの割り当て方を通知してもよい。
【００４０】
図5は図3及び図4の例とは異なる例を示し、移動局110のためのアンカーキャリア504にある従来のPDCCH領域内に、キャリアポインタメッセージ502が設けられている。アンカーキャリア504におけるキャリアポインタメッセージは、移動局110に対して、その移動局がPDCCHを監視する必要があるアンカーキャリアでないキャリア（例えば、キャリア５06）を通知する。通常、移動局はアンカーキャリアのみを監視する。アンカーキャリアでないキャリア（非アンカーキャリア）におけるリソースの割り当てが存在する場合、基地局100は移動局によりデコードされるキャリアポインタメッセージを送信し、移動局が例えば非アンカーキャリア506のような非アンカーキャリアのPDCCHを次のサブフレームにおいてデコードできるようにする。キャリアポインタメッセージは、アンカーキャリア及び非アンカーキャリア双方におけるPDCCHを移動局が監視すべきことを通知するのに使用されてもよい。
【００４１】
図5はキャリアポインタメッセージ502と非アンカーキャリアのPDCCHのデコードとの間に1サブフレームの遅延を示しているが、別の実施例では、同一のサブフレームにおける非アンカーキャリアのPDCCHを移動局110がデコードするようにしてもよい。
【００４２】
本発明の実施例によりいくつもの利点が提供される。ダウンリンク制御構造は、連続的なスペクトルアグリゲーション及び不連続的なスペクトルアグリゲーションの双方に使用可能である。電力を節約するため、移動局は自身のアンカーキャリアのダウンリンク制御構造のみを監視し、必要に応じて他のコンポーネントキャリアを監視してもよい。
【００４３】
移動局は限られたブラインド検出しか実行せず、E−PDCCHの場所及びサイズの明示的な通知（シグナリング）に起因して、E−PDCCHについてはブラインド検出を一切必要としない。E−PDCCHに関し、比較的大きなペイロードサイズのLTEアドバンスト方式について新たなDCIフォーマットを規定（サポート）することが有用である。E−PDCCHを通知するために使用されるプライマリPDCCHの新たなコンパクトDCIフォーマットが、大きなペイロードサイズを有するとは予想されず、従来のPDCCH領域に負担をかけすぎない（超過しない）。E−PDCCHは従来のPDCCHよりも良好なパフォーマンスをもたらす。なぜなら、隣接セルとのE−PDCCHの衝突（競合）は容易に避けられるので、セル間干渉をE−PDCCHによって良好に制御できるからである。
【００４４】
E−PDCCHは、基地局から移動局へのダウンリンクトラフィックチャネルである物理ダウンリンク共有チャネル（PDSCH）での制御情報を与える。E−PDCCHの情報フォーマットは次のようにすることができる。E−PDCCHは、（関連するキャリアを示すための）コンポーネントキャリア番号、データに対するリソースの割り当て方、MCS情報、HARQ処理情報、アップリンク電力制御情報及びその他の制御情報を含んでもよい。
【００４５】
E−PDCCH用に確保されるリソースブロック（RB）は、様々な移動局に通知するのに使用可能なリソースエレメントグループ（REG）及び制御チャネルエレメント（CCE）に分解することができる。プライマリPDCCHのコンパクトDCIフォーマットは、移動局が使用するREG及び／又はCCEにより情報を搬送する。REGの起点（開始点）及び割り当てられたREGの長さのインデックスが指定される。このインデックスは物理REGインデックス又は論理REGインデックスでもよい。論理REGインデックスの場合、論理REGから物理REGへのマッピング（対応づけ）は、セル識別子の関数であるランダム置換（random  permutation）により決定されてもよい。
【００４６】
図6は一実施例による無線通信方法のフローチャートである。図6によるタスク（処理）は移動局にり実行可能である。移動局は、第1のキャリアの従来のPDCCH領域内のプライマリ制御チャネルからダウンリンク制御構造を受信する（602）。ダウンリンク制御構造は、少なくとも第2の別のキャリアにおける拡張された制御情報の場所及びサイズを特定する。移動局はダウンリンク制御構造をデコードして、E−PDCCHのような拡張された制御情報を見いだす（604）。第2のキャリアにおける拡張された制御情報が移動局によりデコードされ（606）、移動局は、その移動局が無線通信を実行するのに必要な制御情報を抽出できるようになる。
【００４７】
（図1のソフトウェア126、134を含む）上記のソフトウェアの命令は、（図1における1つ以上のCPU122、130のような）プロセッサによる実行に備えてロードされる。プロセッサは、マイクロプロセッサ、マイクロコントローラ、プロセッサモジュール、サブシステム（1つ以上のマイクロプロセッサ又はマイクロコントローラを含む）又はその他の制御装置若しくはコンピュータ装置等を含んでもよい。本願において使用される「プロセッサ」という用語は、単独の信号処理部又は複数の信号処理部（1つのCPU又は複数のCPU）を示す。
【００４８】
（ソフトウェアの）命令及びデータは各自のストレージ装置に保存（格納）され、ストレージ装置はコンピュータにより読取可能な又はコンピュータにより使用可能な1つ以上の記憶媒体である。記憶媒体は様々な形態のメモリを含んでもよく、例えば、ダイナミック又はスタティックランダムアクセスメモリ（DRAM又はSRAM）、消去可能及びプログラム可能なリードオンリメモリ（EEPROM）及びフラッシュメモリのような半導体メモリ、固定ディスク、フロッピディスク、取り外し可能なディスクのような磁気ディスク、テープを含む他の磁気媒体、コンパクトディスク（CD）又はディジタルビデオディスク（DVD）のような光媒体等を含む。上記のソフトウェアの命令は、コンピュータにより読取可能な又はコンピュータにより使用可能な1つの記憶媒体に与えられてもよいし、あるいはおそらくは複数のノードを有する大規模なシステムに分散している、コンピュータにより読取可能な又はコンピュータにより使用可能な複数の記憶媒体に与えられてもよいことに留意を要する。そのようなコンピュータにより読取可能な又はコンピュータにより使用可能な媒体は、物品の一部（又は製品の一部）と考えることができる。物品又は製品は製造された任意の単独又は複数の部品と言及されてもよい。
【００４９】
上記の説明において、多くの具体的な詳細が本発明の理解を促すためになされた。しかしながら、本発明はそのような具体的な詳細によらずに実現されてもよいことを、当業者は理解するであろう。限られた数の実施例により本発明は説明されてきたが、当業者はそれらに対する多くの変形例及び修正例を認めるであろう。そのような変形例及び修正例は、本発明の精神及び範囲内に含まれ、特許請求の範囲に含まれていることが意図されている。
【図１】
0005518885.tif 000002
【図２】
0005518885.tif 000003
【図３】
0005518885.tif 000004
【図４】
0005518885.tif 000005
【図５】
0005518885.tif 000006
【図６】
0005518885.tif 000007